(57)【特許請求の範囲】
【請求項１】
複数の記録層が形成されたディスク記録媒体に照射され、前記ディスク記録媒体によって反射されたレーザ光が、一度焦点または焦線を結んだ後、受光素子に入射される光ピックアップであって、
前記焦点または焦線の近傍において、前記複数の記録層のうちの情報信号の記録または再生が行われている記録層であるターゲット記録層で反射された前記レーザ光については透過させる透過部と、前記複数の記録層のうちの前記ターゲット記録層以外の他の記録層で反射された前記レーザ光については透過させない非透過部とを有し、前記透過部が前記焦点または焦線を含み、前記非透過部が前記透過部の光軸方向に隣接して配置される光学部材
を備える光ピックアップ。
【請求項２】
前記非透過部は、前記焦点または焦線を通り光軸方向に平行な平面上に形成された、前記他の記録層で反射された前記レーザ光を吸収する吸収膜である
請求項１に記載の光ピックアップ。
【請求項３】
前記非透過部は、前記焦点または焦線を通り光軸方向に平行な平面上に形成された、前記他の記録層で反射された前記レーザ光を回折させる回折格子である
請求項１に記載の光ピックアップ。
【請求項４】
複数の記録層が形成されたディスク記録媒体に照射され、前記ディスク記録媒体によって反射されたレーザ光が、一度焦点または焦線を結んだ後、受光素子に入射される光ピックアップを備えるディスクドライブ装置であって、
前記光ピックアップは、
前記焦点または焦線の近傍において、前記複数の記録層のうちの情報信号の記録または再生が行われている記録層であるターゲット記録層で反射された前記レーザ光については透過させる透過部と、前記複数の記録層のうちの前記ターゲット記録層以外の他の記録層で反射された前記レーザ光については透過させない非透過部とを有し、前記透過部が前記焦点または焦線を含み、前記非透過部が前記透過部の光軸方向に隣接して配置される光学部材
を備えるディスクドライブ装置。
【発明の詳細な説明】
【技術分野】
【０００１】
本発明は、光ピックアップおよびディスクドライブ装置に関し、特に、ディスク記録媒体の複数の記録層のうち、情報信号の記録または再生が行われている記録層であるターゲット記録層から反射されたレーザ光についてはより多く受光素子に入射させ、他の記録層から反射されたレーザ光については受光素子に入射させないようにする光ピックアップおよびディスクドライブ装置に関する。
【背景技術】
【０００２】
光ディスクや光磁気ディスク等のディスク記録媒体に対して情報信号の記録や再生を行うディスクドライブ装置には、ディスク記録媒体の半径方向に移動可能となされ、ディスク記録媒体に対してレーザ光を照射する光ピックアップが設けられている。
【０００３】
このような光ピックアップにおいては、一般に、発光素子から出射されたレーザ光がビームスプリッタ等の光分離素子を透過し、対物レンズによって集光されることにより、ディスク記録媒体の記録層にレーザ光のスポットが形成される。ディスク記録媒体の記録層に集光されたレーザ光は、記録層で反射されて再び光分離素子に入射され、光分離素子によって光路が変換されて受光素子に入射される。
【０００４】
ここで、ディスク記録媒体には、記録層が複数設けられている多層型のタイプがあるが、この多層型のディスク記録媒体にあっては、情報信号の記録や再生が行われる記録層（以下、適宜、ターゲット記録層という）でレーザ光が反射される他に、ターゲット記録層以外の他の記録層でもレーザ光が反射される。
【０００５】
従って、他の記録層等で反射されたレーザ光が、迷光として受光素子にも入射されることになる。
【０００６】
このような迷光は、例えば、RF（Radio Frequency）信号の品質の劣化やサーボ信号のオフセット等の不具合を引き起こす原因となり、また、ディスク記録媒体の各記録層で反射されたレーザ光の干渉や温度変化等の環境変化による素子特性の変動を引き起こす原因ともなる。
【０００７】
そこで、本出願人は、特許文献１において、ディスク記録媒体から受光素子までの光路中にレーザ光の一部を遮光する遮光部を有する遮光部材を設け、他の記録層で反射されたレーザ光（迷光）を受光素子の受光部に入射しないようにする技術を提案している。
【０００８】
【特許文献１】特開２００５−６３５９５号公報
【発明の開示】
【発明が解決しようとする課題】
【０００９】
しかしながら、特許文献１で提案している技術は、ディスク記録媒体の記録層の層間隔が狭くなったり、対物レンズの焦点距離に対するコリメータレンズの焦点距離の比（横倍率）が低くなるに従い、遮光部材に設けた遮光部の面積を大きくする必要がある。遮光部の面積を大きくすると、ターゲット記録層からの反射光に対する遮光量も多くなるので、受光素子に入射する反射光が減少し、RF信号やサーボ信号の特性が劣化してしまう。
【００１０】
本発明は、このような状況に鑑みてなされたものであり、ディスク記録媒体の複数の記録層のうち、情報信号の記録または再生が行われている記録層であるターゲット記録層から反射されたレーザ光についてはより多く受光素子に入射させ、他の記録層から反射されたレーザ光については受光素子に入射させないようにするものである。
【課題を解決するための手段】
【００１１】
本発明の第１の側面の光ピックアップは、複数の記録層が形成されたディスク記録媒体に照射され、前記ディスク記録媒体によって反射されたレーザ光が、一度焦点または焦線を結んだ後、受光素子に入射される光ピックアップであって、前記焦点または焦線の近傍において、前記複数の記録層のうちの情報信号の記録または再生が行われている記録層であるターゲット記録層で反射された前記レーザ光については透過させる透過部と、前記複数の記録層のうちの前記ターゲット記録層以外の他の記録層で反射された前記レーザ光については透過させない非透過部とを有し、前記透過部が前記焦点または焦線を含み、前記非透過部が前記透過部の光軸方向に隣接して配置される光学部材を備える。
【００１３】
前記非透過部は、前記焦点または焦線を通り光軸方向に平行な平面上に形成された、前記他の記録層で反射された前記レーザ光を吸収する吸収膜であるようにさせることができる。
【００１４】
前記非透過部は、前記焦点または焦線を通り光軸方向に平行な平面上に形成された、前記他の記録層で反射された前記レーザ光を回折させる回折格子であるようにさせることができる。
【００１５】
本発明の第２の側面のディスクドライブ装置は、複数の記録層が形成されたディスク記録媒体に照射され、前記ディスク記録媒体によって反射されたレーザ光が、一度焦点または焦線を結んだ後、受光素子に入射される光ピックアップを備えるディスクドライブ装置であって、前記光ピックアップは、前記焦点または焦線の近傍において、前記複数の記録層のうちの情報信号の記録または再生が行われている記録層であるターゲット記録層で反射された前記レーザ光については透過させる透過部と、前記複数の記録層のうちの前記ターゲット記録層以外の他の記録層で反射された前記レーザ光については透過させない非透過部とを有し、前記透過部が前記焦点または焦線を含み、前記非透過部が前記透過部の光軸方向に隣接して配置される光学部材を備える。
【００１６】
本発明の第１の側面の光ピックアップおよび第２の側面のディスクドライブ装置においては、複数の記録層が形成されたディスク記録媒体に照射され、前記ディスク記録媒体によって反射されたレーザ光が、一度焦点または焦線を結んだ後、受光素子に入射される光ピックアップにおいて光学部材が設けられ、前記光学部材の透過部によって、前記焦点または焦線の近傍において、前記複数の記録層のうちの情報信号の記録または再生が行われている記録層であるターゲット記録層で反射された前記レーザ光については透過され、前記光学部材の非透過部によって、前記複数の記録層のうちの前記ターゲット記録層以外の他の記録層で反射された前記レーザ光については透過されないようになされる。この光学部材の前記透過部は前記焦点または焦線を含み、前記非透過部は前記透過部の光軸方向に隣接して配置されている。
【発明の効果】
【００１７】
本発明の第１および第２の側面によれば、ディスク記録媒体の複数の記録層のうち、情報信号の記録または再生が行われている記録層であるターゲット記録層から反射されたレーザ光についてはより多く受光素子に入射させ、他の記録層から反射されたレーザ光については受光素子に入射させないようにすることができる。
【発明を実施するための最良の形態】
【００１８】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１９】
本発明の第１の側面の光ピックアップは、複数の記録層が形成されたディスク記録媒体に照射され、前記ディスク記録媒体によって反射されたレーザ光が、一度焦点または焦線を結んだ後、受光素子に入射される光ピックアップ（例えば、図２の光ピックアップ部７０）であって、前記焦点または焦線の近傍において、前記複数の記録層のうちの情報信号の記録または再生が行われている記録層であるターゲット記録層で反射された前記レーザ光については透過させる透過部（例えば、図４の透過膜１２１）と、前記複数の記録層のうちの前記ターゲット記録層以外の他の記録層で反射された前記レーザ光については透過させない非透過部（例えば、図４の吸収膜１２２Ａおよび１２２Ｂ）とを有し、前記透過部が前記焦点または焦線を含み、前記非透過部が前記透過部の光軸方向に隣接して配置される光学部材（例えば、図４のプリズム１０４）を備える。
【００２０】
本発明の第２の側面のディスクドライブ装置は、複数の記録層が形成されたディスク記録媒体に照射され、前記ディスク記録媒体によって反射されたレーザ光が、一度焦点または焦線を結んだ後、受光素子に入射される光ピックアップ（例えば、図２の光ピックアップ部７０）を備えるディスクドライブ装置（例えば、図１のディスクドライブ装置１）であって、前記光ピックアップは、前記焦点または焦線の近傍において、前記複数の記録層のうちの情報信号の記録または再生が行われている記録層であるターゲット記録層で反射された前記レーザ光については透過させる透過部（例えば、図４の透過膜１２１）と、前記複数の記録層のうちの前記ターゲット記録層以外の他の記録層で反射された前記レーザ光については透過させない非透過部（例えば、図４の吸収膜１２２Ａおよび１２２Ｂ）とを有し、前記透過部が前記焦点または焦線を含み、前記非透過部が前記透過部の光軸方向に隣接して配置される光学部材（例えば、図４のプリズム１０４）を備える。
【００２１】
以下、図を参照して、本発明の実施の形態について説明する。
【００２２】
図１は、本発明を適用したディスクドライブ装置の斜視図を示している。
【００２３】
図１のディスクドライブ装置１は、CD(Compact Disk)，DVD(Digital Versatile Disk)、またはBD(Blu-ray Disk)などの光ディスク２に対して記録又は再生が可能なディスクドライブ装置である。
【００２４】
ディスクドライブ装置１は、固定プレート１１によって、パーソナルコンピュータやAV(Audio and Visual)機器などの主装置（不図示）に取り付けられる。固定プレート１１の上面には、装置本体１２が固定されている。装置本体１２は、スピンドルモータ２１、キャリッジ２２、スクリュー２３、および送りモータ２４等で構成されている。
【００２５】
光ディスク２は、スピンドルモータ２１によって所定の速度（角速度）で回転駆動される。光ディスク２の下方には、キャリッジ２２が配置され、キャリッジ２２は、対物レンズ２５が装着されたボビン２６等を収納している。
【００２６】
送りモータ２４は、スクリュー２３を回転駆動させ、スクリュー２３に対して摺動可能となされているキャリッジ２２をトラッキング方向の広い範囲（光ディスク２の内周側乃至外周側）で移動させる。ここで、トラッキング方向とは、光ディスク２の半径方向を表し、トラッキング方向と垂直な方向をタンジェンシャル方向（tan方向）、光ディスク２のディスク面に垂直な方向をフォーカス方向と称する。
【００２７】
装置本体１２の前面には、前面パネル４１が固定プレート１１および装置本体１２に固定されている。
【００２８】
前面パネル４１の取り出しボタン４２をユーザが押下することにより、主装置に格納されているディスクドライブ装置１が主装置から引き出され、光ディスク２を装着または取り出すことができるようになっている。
【００２９】
以上のように構成されるディスクドライブ装置１において、図示せぬ発光素子から出射された所定波長のレーザ光は、対物レンズ２５を通って光ディスク２に照射される。ここで、発光素子が出射するレーザ光の波長は、光ディスク２の種類により異なり、例えば、光ディスク２がCD，DVD、またはBDである場合、レーザ光の波長は、それぞれ、７８５nm，６６０nm、または４０５nmである。そして、レーザ光は、光ディスク２で反射され、反射光として再び対物レンズ２５に入射される。また、レーザ光が光ディスク２に照射されている間、ボビン２６は、光ディスク２のそりなどに追従するように、フォーカス方向、トラッキング方向、およびラジアルチルト方向の３軸方向に駆動制御される。なお、ラジアルチルト方向は、光ディスク２のディスク面に対するボビン２６のトラッキング方向の傾きである。
【００３０】
図２は、ディスクドライブ装置１の制御に関する機能的なブロック図である。なお、図１と対応する部分については、同一の符号を付してある。
【００３１】
ディスクドライブ装置１は、スピンドルモータ２１、送りモータ２４、光ピックアップ部７０、演算回路７１、再生回路７２、制御回路７３、および入力装置７４により構成されている。また、光ピックアップ部７０は、３軸アクチュエータ８１を少なくとも有している。
【００３２】
対物レンズ２５やボビン２６（図１）、３軸アクチュエータ８１などで構成される光ピックアップ部７０は、光ディスク２に所定波長のレーザ光を照射し、光ディスク２から反射して返ってくる反射光をフォトディテクタ（PD）等の受光素子で検出し、その検出した反射光を電気信号に変換して、PD信号として演算回路７１に出力する。
【００３３】
３軸アクチュエータ８１は、制御回路７３の制御の下、光ディスク２に照射されるレーザ光が光ディスク２のそりなどに追従するように、フォーカス方向、トラッキング方向、およびラジアルチルト方向の３軸方向にボビン２６を駆動する。
【００３４】
演算回路７１は、光ピックアップ部７０から供給されるPD信号から、情報再生用のデータ検出信号（RF信号）、フォーカスエラー信号、およびトラッキングエラー信号を算出し、データ検出信号を再生回路７２に出力するとともに、フォーカスエラー信号およびトラッキングエラー信号（サーボ信号）を制御回路７３に出力する。
【００３５】
再生回路７２は、演算回路７１から供給されたデータ検出信号をイコライズした後、２値化し、さらに、エラー訂正しながら復調した信号を、再生信号として主装置に出力する。
【００３６】
制御回路７３は、入力装置７４から供給されるユーザの操作に対応した操作信号に応じて、ディスクドライブ装置１の各部を制御する。
【００３７】
例えば、制御回路７３は、入力装置７４から供給される光ディスク２の再生開始または記録開始を表す操作信号に対応して、スピンドルモータ２１を制御し、光ディスク２を所定の速度（角速度）で回転駆動させる。また、制御回路７３は、光ピックアップ部７０が光ディスク２の所定の位置となるように送りモータ２４および３軸アクチュエータ８１のトラッキング方向を制御する。
【００３８】
さらに、制御回路７３は、３軸アクチュエータ８１を制御し、ボビン２６をフォーカス方向に駆動させ、対物レンズ２５を通過するレーザ光を光ディスク２上で集光させる。なお、入力装置７４から光ディスク２のへの情報信号の記録開始を表す操作信号が供給された場合には、制御回路７３は、光ディスク２に記録させる情報信号も入力装置７４から取得する。
【００３９】
図３は、光ディスク２をディスク面と並行な方向から見た場合の、光ディスク２の断面の一部を示している。
【００４０】
光ディスク２は、情報信号を記録する記録層を複数有する多層型の光ディスクである。本実施の形態では、光ディスク２は、図３に示すように、カバー層Ｃ１の内側に４つの記録層Ｌ０乃至Ｌ３を有しているものとする。なお、記録層Ｌ０乃至Ｌ３は、図３中の実線部に相当し、カバー層Ｃ１側から、記録層Ｌ３，Ｌ２，Ｌ１、およびＬ０となっている。また、実線と実線との間は、中間層である。
【００４１】
また、光ディスク２の４つの記録層Ｌ０乃至Ｌ３のうちの、情報信号の記録や再生が行われる記録層をターゲット記録層と称し、以下では、ターゲット記録層が記録層Ｌ２である場合について説明する。
【００４２】
図４は、光ピックアップ部７０の光学系の第１の実施の形態を示している。なお、図４では、光軸が点線で示されており、図面左右方向がタンジェンシャル方向を表し、紙面に垂直な方向がトラッキング方向を表している（後述する図６、図７、および図１０も同様）。
【００４３】
光ピックアップ部７０は、対物レンズ２５、発光素子１０１、偏光ＢＳ（ビームスプリッタ）１０２、リレーレンズ１０３、プリズム１０４、コリメータレンズ１０５、１／４波長板（Quarter Wave Plate）１０６、および受光素子１０７により構成されている。
【００４４】
光ピックアップ部７０では、発光素子１０１から出射されたレーザ光が、光ディスク２で反射され、最終的に受光素子１０７で受光される。以下では、理解を容易にするため、発光素子１０１から光ディスク２に照射されるまでの往路のレーザ光をそのままレーザ光と称し、光ディスク２で反射されてから、受光素子１０７に入射されるまでの復路のレーザ光を反射光と称して説明する。
【００４５】
発光素子１０１は、例えば、半導体レーザや、固体レーザなどで構成され、所定波長のレーザ光を出射する。偏光ＢＳ１０２は、発光素子１０１から入射されるレーザ光を透過させるとともに、リレーレンズ１０３から入射される反射光を反射させる。即ち、偏光ＢＳ１０２は、後述するように、発光素子１０１が出射したレーザ光と偏光方向が９０°回転されている反射光を反射させる。
【００４６】
リレーレンズ１０３は、プリズム１０４内の焦点１２０で集光されるレーザ光を、再び光ディスク２のターゲット記録層で集光させる。プリズム１０４は、焦点１２０を通り光軸と平行な面に、透過膜１２１と吸収膜１２２Ａおよび１２２Ｂとを有している。プリズム１０４の透過膜１２１は、そこに入射するレーザ光および反射光を透過させる。プリズム１０４の吸収膜１２２Ａおよび１２２Ｂは、そこに入射するレーザ光および反射光を吸収し、遮光する。
【００４７】
コリメータレンズ１０５は、プリズム１０４から入射されるレーザ光を平行光に整え、１／４波長板１０６に入射させる。１／４波長板１０６は、入射されるレーザ光および反射光のそれぞれを直線偏光から円偏光にあるいは、円偏光から直線偏光に変える。従って、１／４波長板１０６を通過した後の反射光は、１／４波長板１０６に入射される前のレーザ光と偏光方向が９０°回転されている。
【００４８】
対物レンズ２５は、１／４波長板１０６から入射されるレーザ光を光ディスク２のターゲット記録層に集光させる。受光素子１０７は、偏光ＢＳ１０２で反射されて、入射されてくる反射光を受光し、電気信号に変換して、出力する。
【００４９】
従って、発光素子１０１から出射されたレーザ光が、偏光ＢＳ１０２を通過して、リレーレンズ１０３によって、焦点１２０で一旦集光される。その後、プリズム１０４の透過膜１２１を通過したレーザ光は、コリメータレンズ１０５によって平行光とされ、対物レンズ２５によって光ディスク２のターゲット記録層で集光される。
【００５０】
光ディスク２のターゲット記録層からの反射光は、上述したように、発光素子１０１が出射したレーザ光と偏光方向が９０°回転されており、偏光ＢＳ１０２で反射され、受光素子１０７に入射される。
【００５１】
図５は、プリズム１０４の斜視図である。
【００５２】
プリズム１０４は、２つのプリズム１３１Ｌと１３１Ｒとを接合面１３２で接着することにより構成されている。そして、プリズム１０４は、接合面１３２が焦点１２０を通り、光軸と平行となるように配置される。接合面１３２には、光軸方向の光ディスク２に近い側から順に、吸収膜１２２Ａ、透過膜１２１、および吸収膜１２２Ｂが形成されている。なお、図５では、分かり易くするため、吸収膜１２２Ａ、透過膜１２１、および吸収膜１２２Ｂが所定の膜厚を持つように図示されているが、実際には、吸収膜１２２Ａ、透過膜１２１、および吸収膜１２２Ｂそれぞれの膜厚は無視することができる。
【００５３】
また、プリズム１０４は、接合面１３２が、トラッキング方向と平行な方向となるように配置させる場合と、タンジェンシャル方向と平行な方向に配置させる場合の２通りがある。例えば、レーザ光を１ビームで光ディスク２に照射する１ビーム方式では、接合面１３２をトラッキング方向と平行な方向となるようにプリズム１０４を配置させ、レーザ光を３ビームで光ディスク２に照射する３ビーム方式では、接合面１３２をタンジェンシャル方向と平行な方向となるように配置させることができる。また、図５に示すように、接合面１３２をトラッキング方向と平行な方向にプリズム１０４を配置させた場合、対物レンズ２５にレンズシフト（トラッキング方向のシフト）が生じたときでも透過させるべき領域（透過膜１２１の領域）が変化しないので、レンズシフトの影響がないようにすることができる。
【００５４】
透過膜１２１は、３分割された接合面１３２の真ん中の領域で、かつ、少なくとも焦点１２０を通る領域となっている。透過膜１２１は、入射されるレーザ光および反射光を透過させる。
【００５５】
一方、吸収膜１２２Ａおよび１２２Ｂは、透過膜１２１の光軸方向に隣接して配置され、そこに入射されるレーザ光および反射光を吸収し、透過および反射させない。
【００５６】
図４を参照して説明したように、発光素子１０１から出射されたレーザ光は、光ディスク２に照射され、ターゲット記録層で反射されて反射光となって、対物レンズ２５、１／４波長板１０６、およびコリメータレンズ１０５を通過して、プリズム１０４に入射される。
【００５７】
しかしながら、光ディスク２に照射されたレーザ光で、ターゲット記録層（記録層Ｌ２）以外の他の記録層（記録層Ｌ０、Ｌ１、もしくはＬ３）で反射された光（以下、迷光という）も、対物レンズ２５、１／４波長板１０６、およびコリメータレンズ１０５を通過して、反射光とともに、プリズム１０４に入射されてくる。
【００５８】
透過膜１２１は、コリメータレンズ１０５から入射される反射光（ターゲット記録層で反射されたレーザ光）の光路上に形成されており、吸収膜１２２Ａおよび１２２Ｂはコリメータレンズ１０５から入射される迷光（記録層Ｌ０，Ｌ１、およびＬ３で反射されたレーザ光）の光路上に形成されている。
【００５９】
従って、コリメータレンズ１０５から入射される反射光および迷光のうち、反射光は、図４に示したように、透過膜１２１を通過して、リレーレンズ１０３に入射する。
【００６０】
一方、迷光は、吸収膜１２２Ａまたは１２２Ｂで吸収され、リレーレンズ１０３には入射しない。即ち、記録層Ｌ３で反射された迷光は、図６に示すように、プリズム１０４の吸収膜１２２Ｂに入射し、吸収される。また、記録層Ｌ０およびＬ１で反射された迷光は、図７に示すように、プリズム１０４の吸収膜１２２Ａに入射し、吸収される。
【００６１】
図８は、反射光が受光素子１０７に入射されたときに、受光素子１０７の受光面に形成される反射光のスポット形状を示している。
【００６２】
図８に示すように、受光素子１０７上では、ターゲット記録層で反射された反射光のほとんどが受光素子１０７に入射され、円状のスポットパターン１３１が形成されている。なお、スポットパターン１３１を半円状に２分する真ん中の細い領域は、吸収膜１２２Ａおよび１２２Ｂによりターゲット記録層からの反射光が僅かに遮光（吸収）されてできた領域である。
【００６３】
従って、図４の光ピックアップ部７０によれば、ターゲット記録層で反射された反射光については、ほぼ損失なく受光素子１０７に入射させ、ターゲット記録層以外の記録層で反射された迷光については、遮光して受光素子１０７に入射させないようにすることができる。
【００６４】
次に、光ピックアップ部７０の光学系の第２の実施の形態について説明する。
【００６５】
光ピックアップ部７０の第２の実施の形態では、図４で示した光ピックアップ部７０を構成する各光学部品のうち、プリズム１０４に代えて、図９に示すプリズム１４１を採用する点だけが、第１の実施の形態と異なる。
【００６６】
図９のプリズム１４１は、プリズム１０４において吸収膜１２２Ａおよび１２２Ｂが形成されていた接合面１３２上の領域に、それぞれ、回折格子１５１Ａおよび１５１Ｂが形成されている。
【００６７】
回折格子１５１Ａおよび１５１Ｂのそれぞれは、コリメータレンズ１０５から入射される迷光（記録層Ｌ０，Ｌ１およびＬ３で反射されたレーザ光）を回折させる。
【００６８】
従って、ターゲット記録層（記録層Ｌ２）以外の、例えば記録層Ｌ３で反射された迷光は、図１０に示すように、プリズム１４１の回折格子１５１Ｂに入射する。
【００６９】
そして、迷光は、回折格子１５１Ｂで回折され、図１０において１点鎖線で示されている、迷光が回折格子１５１Ｂの面で鏡面反射したときの光路よりも、リレーレンズ１０３のより外側に入射するようになる。
【００７０】
その結果、受光素子１０７では、図１１に示すように、図８と同様のターゲット記録層で反射された反射光による円状のスポットパターン１３１が形成され、回折格子１５１Ａおよび１５１Ｂによって回折された迷光は、受光素子１０７の外側にパターン１６１を形成する。
【００７１】
従って、図９のプリズム１４１を用いた光ピックアップ部７０においても、ターゲット記録層で反射された反射光については、ほぼ損失なく受光素子１０７に入射させ、ターゲット記録層以外の記録層で反射された迷光については、受光素子１０７に入射させないようにすることができる。
【００７２】
以上のように、図４の光ピックアップ部７０および光ピックアップ部７０を備えるディスクドライブ装置１によれば、複数の記録層が形成された光ディスク２のターゲット記録層で反射された反射光については透過させる透過膜１２１（透過部）と、ターゲット記録層以外の他の記録層で反射された迷光については透過させない吸収膜１２２Ａおよび１２２Ｂ（非透過部）とを有するプリズム１０４を焦点１２０の近傍に配置することにより、ターゲット記録層で反射された反射光については、ほぼ損失なく受光素子１０７に入射させ、ターゲット記録層以外の記録層で反射された迷光については、受光素子１０７に入射させないようにすることができる。図１０に示したように、プリズム１０４がプリズム１４１に取って代わる場合も同様である。
【００７３】
また、ターゲット記録層以外の記録層から反射された迷光を受光素子１０７で受光することがないので、ターゲット記録層からの反射光と迷光との干渉が生じることがない。これにより、サーボ信号やRF信号の特性を安定させることができる。また、ターゲット記録層からの反射光を遮光することがほとんどないため、サーボ信号やRF信号の特性の劣化を抑制することができる。
【００７４】
さらに、光ディスク２の各記録層の層間隔が広がった場合、遮光すべき迷光は、焦点１２０から遠ざかる光軸方向に広がるため、透過させるべき領域（透過膜１２１の領域）は変化しない。従って、複数の記録層を有する光ディスク２の層間隔が各種存在する場合に、各種の層間隔に適用可能な光ピックアップ部７０を製作することができる。
【００７５】
なお、上述した例では、光ディスク２によって反射された反射光が、受光素子１０７に入射される前に焦点１２０を結ぶ光学系の例について説明したが、焦点ではなく焦線を結ぶ光学系に対しても、本発明を適用することができる。
【００７６】
また、本発明の実施の形態は、上述した実施の形態に限定されるものではなく、本発明の要旨を逸脱しない範囲において種々の変更が可能である。
【図面の簡単な説明】
【００７７】
【図１】本発明を適用した本発明を適用したディスクドライブ装置の斜視図である。
【図２】図１のディスクドライブ装置１の制御に関する機能的なブロック図である。
【図３】光ディスク２の断面の一部を示す図である。
【図４】光ピックアップ部７０の第１の実施の形態を示す図である。
【図５】プリズム１０４の斜視図である。
【図６】記録層Ｌ３で反射された迷光について説明する図である。
【図７】記録層Ｌ０およびＬ１で反射された迷光について説明する図である。
【図８】第１の実施の形態における受光素子１０７の受光面に形成される反射光のスポット形状を示す図である。
【図９】光ピックアップ部７０の第２の実施の形態のプリズム１４１を示す図である。
【図１０】光ピックアップ部７０の第２の実施の形態を示す図である。
【図１１】第２の実施の形態における受光素子１０７の受光面に形成される反射光のスポット形状を示す図である。
【符号の説明】
【００７８】
１  ディスクドライブ装置，  ２  光ディスク，  ７０  光ピックアップ部，  １０１  発光素子，  １０４  プリズム，  １２０  焦点，  １２１  透過膜，  １２２Ａ，１２２Ｂ  吸収膜，  １４１  プリズム，  １５１Ａ，１５１Ｂ  回折格子
【図１】
0004655222.tif 000002
【図２】
0004655222.tif 000003
【図３】
0004655222.tif 000004
【図４】
0004655222.tif 000005
【図５】
0004655222.tif 000006
【図６】
0004655222.tif 000007
【図７】
0004655222.tif 000008
【図８】
0004655222.tif 000009
【図９】
0004655222.tif 000010
【図１０】
0004655222.tif 000011
【図１１】
0004655222.tif 000012